(57)【特許請求の範囲】
【請求項１】
コンクリートダムのダム提体の側面を岩着する岩盤面の３次元形状を測量するためのダム施工用の測量用写真撮影方法であって、
前記岩盤面を被覆する表面保護部材のうち予め設定された掘削範囲を掘削後の岩盤面部分を含む撮影対象領域内に、３次元座標情報が既知の３点以上の基準点を設定する基準点設定工程と、
前記撮影対象領域を、地上又はダム提体の既設部上の異なる複数の撮影位置から、デジタルカメラによって前記撮影位置のそれぞれで複数枚ずつ且つ隣接する撮影画像同士で撮影領域の一部が重複するように撮影して複数の撮影画像を得る撮影工程と、を含み、
ダム提体の上流側及び下流側にそれぞれ設置された型枠のうち前記岩盤面と対向する位置に設置された２つの型枠の角部も前記基準点として利用して前記撮影領域内に３点以上の前記基準点を含むように撮影するダム施工用の測量用写真撮影方法。
【発明の詳細な説明】
【技術分野】
【０００１】
本発明は、ダム施工用の測量用写真撮影方法、これを利用したダム施工用の出来形管理図生成方法、コンクリート打設量算出方法、出来形管理図生成システム及びコンクリート打設量算出システム並びに出来形管理図生成支援プログラムに関する。
【背景技術】
【０００２】
従来、コンクリートダムの施工において、ダム提体の側面の基礎岩盤と岩着する部分（岩着部）を含むコンクリートの打設区画は、コンクリートの打設を行う１リフト分毎に岩盤面の３次元形状を事前にＴＳ（Total Station）等の測量機械を用いて測量している。これは、岩着部を含む区画では、岩盤面の形状（凹凸形状）が位置によって異なり、コンクリートの打設量が位置によって変化するためである。即ち、受注者側は、発注者への報告と確認を行うために、コンクリートの打設前にダム提体を岩着する岩盤面の形状を１リフト毎に測量し、コンクリートの正確な打設量を計算している。
【０００３】
また、従来、ＵＡＶ（無人航空機）を用いて写真測量を行う技術が開示されている（例えば、特許文献１を参照）。特許文献１には、ＵＡＶを用いて上空から、ダム等の構築物の写真測量を行うことが記載されている。
また、一般に写真測量においては、撮影対象領域を、異なる複数の位置から複数の撮影画像に分割して撮影すると共に隣接する撮影画像で撮影領域の一部が重複（ラップ）するように撮影を行う。そして、この撮影により得られた複数の撮影画像データから、ＳＦＭ(Structure from motion)やＳＦＩＴ(Scale-invariant feature transform)などの画像処理をベースとした３次元形状復元技術や撮影位置推定技術を用いて撮影対象領域の３次元点群データを生成する。更に、生成した３次元点群データから、３次元ＣＡＤソフトを用いてＴＩＮ（triangulated irregular network）モデルを生成することで、測量データを得ている。
【先行技術文献】
【特許文献】
【０００４】
【特許文献１】特開２０１５−１４５７８４号公報
【発明の概要】
【発明が解決しようとする課題】
【０００５】
ところで、ＴＳ等の測量機械を用いた測量方法では、測量に２人以上の人員が必要になると共に１リフト毎に測量を行っているため測量コストが高くなるといった問題があった。また、ＴＳ等の測量機械では、プリズム等のターゲットを高所に配置するのが困難なためダム提体の側面を岩着する岩盤面（以下、「岩着面」と記載する場合がある）に対して一度に複数リフト分の測量を行うことが困難であった。
【０００６】
一方、ＵＡＶを用いた写真測量方法では、測量に必要な人員を１人とすることが可能であり、更に岩着面に対して複数リフト分を一度に測量することが可能である。しかし、岩着面は、風化を防ぐために表面が保護モルタル等の表面保護部材で覆われている。そのため、予め設定された範囲（例えば、５〜６リフト分の範囲）の表面保護部材が掘削された後の岩着面に対して測量を行う必要がある。そのため、表面保護部材を掘削する毎にＵＡＶを飛ばす必要があり燃費等の効率が悪い。また、ダム提体の側面を岩着する岩着面は傾斜面となっており、かつ測量時には現場に作業機械や作業者が存在するため、これらを避けながら岩着面を適切な撮影位置から空中撮影することは困難である。
【０００７】
また、岩着面を写真測量して、ダム提体の岩着部を含むコンクリート打設区画の出来形管理図を生成したり、この区画のコンクリート打設量の計算を行ったりする技術はこれまでには無かった。
また、３次元ＣＡＤソフトを用いて、３次元点群データからＴＩＮモデルを生成し、所望の座標情報を取得して必要な出来形管理図を生成するためには、３次元ＣＡＤソフトの操作をある程度熟知している必要がある。そのため、操作に慣れていない作業者にとっては困難な作業となる。
【０００８】
そこで、本発明は、このような従来の技術の有する未解決の課題に着目してなされたものであって、岩着面を低コストかつ高精度に写真測量するのに好適なダム施工用の測量用写真撮影方法、これを利用したダム施工用の出来形管理図生成方法、コンクリート打設量算出方法、出来形管理図生成システム及びコンクリート打設量算出システムを提供することを第１の目的としている。
また、写真測量技術を利用してダム提体の岩着部を含むコンクリート打設区画の出来形管理図を生成する際の３次元ＣＡＤソフトの操作を支援する出来形管理図生成支援プログラムを提供することを第２の目的としている。
【課題を解決するための手段】
【０００９】
上記第１の目的を達成するために、本発明の第１の形態に係るダム施工用の測量用写真撮影方法は、コンクリートダムのダム提体の側面を岩着する岩盤面の３次元形状を測量するためのダム施工用の測量用写真撮影方法であって、前記岩盤面を被覆する表面保護部材のうち予め設定された掘削範囲を掘削後の岩盤面部分を含む撮影対象領域内に、３次元座標情報が既知の３点以上の基準点を設定する基準点設定工程と、前記撮影対象領域を、地上又はダム提体の既設部上の異なる複数の撮影位置から、デジタルカメラによって前記撮影位置のそれぞれで複数枚ずつ且つ隣接する撮影画像同士で撮影領域の一部が重複するように撮影して複数の撮影画像を得る撮影工程と、を含み、ダム提体の上流側及び下流側にそれぞれ設置された型枠のうち前記岩盤面と対向する位置に設置された２つの型枠の角部も前記基準点として利用して前記撮影領域内に３点以上の前記基準点を含むように撮影する。
【００１０】
また、上記第１の目的を達成するために、本発明の第２の形態に係るダム施工用の出来形管理図生成方法は、ダム提体の岩着部を含むコンクリート打設区画の出来形を管理するための出来形管理図を生成するダム施工用の出来形管理図生成方法であって、上記第１の形態のダム施工用の測量用写真撮影方法を用いて前記岩盤面部分を含む撮影対象領域を撮影する岩盤面撮影工程と、前記岩盤面撮影工程で撮影して得られた前記撮影対象領域の複数の撮影画像と、前記撮影対象領域内に設定された前記基準点の３次元座標情報とに基づき前記撮影対象領域の３次元点群データを生成する点群データ生成工程と、前記３次元点群データに基づき前記撮影対象領域のＴＩＮ（triangulated irregular network）モデルを生成するＴＩＮモデル生成工程と、前記ＴＩＮモデルから前記撮影対象領域に対応する岩盤面部分の等高線座標情報を抽出する等高線座標情報抽出工程と、前記等高線座標情報抽出工程において抽出した前記等高線座標情報と該等高線座標情報に対応する高度の前記岩盤面部分と対向するダム提体の既設部の座標情報とに基づき、ダム岩着部を含むコンクリート打設区画の出来形管理図を生成する出来形管理図生成工程と、を含む。
【００１１】
また、上記第１の目的を達成するために、本発明の第３の態様に係るダム施工用のコンクリート打設量算出方法は、ダム提体の岩着部を含むコンクリート打設区画のコンクリート打設量を算出するコンクリート打設量算出方法であって、上記第１の形態のダム施工用の測量用写真撮影方法を用いて前記岩盤面部分を含む撮影対象領域を撮影する岩盤面撮影工程と、前記岩盤面撮影工程で撮影して得られた前記撮影対象領域の複数の撮影画像と、前記撮影対象領域内に設定された前記基準点の３次元座標情報とに基づき前記撮影対象領域の３次元点群データを生成する点群データ生成工程と、前記３次元点群データに基づき前記撮影対象領域のＴＩＮ（triangulated irregular network）モデルを生成するＴＩＮモデル生成工程と、前記ＴＩＮモデルから前記撮影対象領域に対応する岩盤面部分の等高線座標情報を抽出する等高線座標情報抽出工程と、前記等高線座標情報抽出工程において抽出した等高線座標情報と該等高線座標情報に対応する高度の前記岩盤面部分と対向するダム提体の既設部の座標情報とに基づき、ダム岩着部を含むコンクリート打設区画のコンクリート打設量を算出する打設量算出工程と、を含む。
【００１２】
一方、上記第１の目的を達成するために、本発明の第４の態様に係る出来形管理図生成システムは、上記第１の形態のダム施工用の測量用写真撮影方法で撮影して得られた複数の撮影画像データを取得する撮影画像データ取得部と、前記基準点の３次元座標情報を取得する基準点座標取得部と、前記複数の撮影画像データと前記基準点の３次元座標情報とに基づき、前記撮影対象領域の３次元点群データを生成する点群データ生成部と、前記３次元点群データに基づき前記撮影対象領域のＴＩＮ（triangulated irregular network）モデルを生成するＴＩＮモデル生成部と、前記ＴＩＮモデルから前記撮影対象領域に対応する岩盤面部分の等高線座標情報を抽出する等高線座標情報抽出部と、前記等高線座標情報抽出部で抽出される等高線座標情報に対応する高度の前記岩盤面部分と対向するダム提体の既設部の座標情報を記憶する提体座標情報記憶部と、前記等高線座標情報抽出部で抽出した等高線座標情報と該等高線座標情報に対応する前記ダム提体の既設部の座標情報とに基づき、ダム岩着部の出来形管理図として、前記岩盤面部分の等高線と該等高線の高度位置で前記既設部を切断した断面図とを合成したダム岩着部を含むコンクリート打設区画の断面図を生成する出来形管理図生成部と、を備える。
【００１３】
また、上記第１の目的を達成するために、本発明の第５の態様に係るコンクリート打設量算出システムは、上記第１の形態のダム施工用の測量用写真撮影方法で撮影して得られた複数の撮影画像データを取得する撮影画像データ取得部と、前記基準点の３次元座標情報を取得する基準点座標取得部と、前記複数の撮影画像データと前記基準点の３次元座標情報とに基づき、前記撮影対象領域の３次元点群データを生成する点群データ生成部と、前記３次元点群データに基づき前記撮影対象領域のＴＩＮ（triangulated irregular network）モデルを生成するＴＩＮモデル生成部と、前記ＴＩＮモデルに基づき前記撮影対象領域に対応する岩盤面部分の等高線座標情報を取得する等高線座標情報取得部と、前記等高線座標情報に対応する高度の前記岩盤面部分と対向するダム提体の既設部の座標情報を記憶する提体座標情報記憶部と、前記等高線座標情報と前記既設部の座標情報とに基づき、ダム岩着部を含むコンクリート打設区画のコンクリート打設量を算出する打設量算出部と、を備える。
【００１４】
また、上記第２の目的を達成するために、本発明の第６の態様に係る出来形管理図生成支援プログラムは、ダム提体を岩着する岩盤面部分の３次元点群データからダム提体の岩着部を含むコンクリート打設区画の出来形を管理するための出来形管理図を生成する３次元ＣＡＤソフトの画面操作を支援する出来形管理図生成支援プログラムであって、予め用意された前記３次元点群データを用いて前記岩盤面部分のＴＩＮ（triangulated irregular network）モデルを生成するのに必要な前記３次元ＣＡＤソフトの画面操作を行う一連の操作入力情報である第１の操作情報を該３次元ＣＡＤソフトに入力する第１の操作入力ステップと、前記第１の操作情報の入力による画面操作に応じて前記３次元ＣＡＤソフトが前記ＴＩＮモデルを生成後に、等高線座標情報を抽出するための高度の入力を受け付ける高度入力受付ステップと、前記高度の入力を受け付けたと判定すると、入力高度に対応する等高線座標情報を前記ＴＩＮモデルから抽出するのに必要な前記３次元ＣＡＤソフトの画面操作を行う一連の操作入力情報である第２の操作情報を該３次元ＣＡＤソフトに入力する第２の操作入力ステップと、前記第２の操作情報の入力による画面操作に応じて前記３次元ＣＡＤソフトが前記入力高度に対応する等高線座標情報を抽出後に、前記入力高度の等高線画像を、予め用意された前記等高線画像の高度位置で前記岩盤面部分と対向するダム提体の既設部を切断した断面画像に合成して、前記入力高度に対応するダム岩着部を含むコンクリート打設区画の出来形管理図を生成するのに必要な前記３次元ＣＡＤソフトの画面操作を行う一連の操作入力情報である第３の操作情報を該３次元ＣＡＤソフトに入力する第３の操作入力ステップと、を含む処理をコンピュータに実行させるためのプログラムを含む。
【発明の効果】
【００１５】
上記第１の態様に係るダム施工用の測量用写真撮影方法によれば、岩盤面と対向する位置にある２つの型枠の角部を基準点として利用するようにした。ここで、各型枠は測量によって正確な位置だしが行われる。このことから、型枠の位置を基準点として利用することで、基準点の位置を測量する手間を軽減することが可能となる。加えて、地上又はダム提体の既設部上から写真撮影する構成としたのでＵＡＶを用いた空撮と比較して低コストで岩着面の測量用写真を撮影することが可能となる。また、写真を撮影すればよいので、従来の測量機械を用いた測量と比較して複数リフト分を一度に測量することが可能となる。
【００１６】
また、上記第２から第５の態様に係るダム施工用の出来形管理図生成方法及び出来形管理図生成システムによれば、上記第１の態様の測量用写真撮影方法で撮影した撮影画像から３次元点群データを生成し、この３次元点群データからＴＩＮモデルを生成し、このＴＩＮモデルから岩着面の等高線座標情報を抽出する。更に、この等高線座標情報と該等高線座標情報に対応する高度のダム提体の既設部の座標情報とに基づき、ダム岩着部を含むコンクリート打設区画の出来形管理図を生成することが可能である。これによって、ＴＳ等の測量機械による測量データを用いた場合と比較して高精度な出来形管理図を低コストで得ることが可能となる。
【００１７】
また、上記第３及び第５の態様に係るダム施工用のコンクリート打設量算出方法及びコンクリート打設量算出システムによれば、上記第２及び第４の態様と同様の方法で抽出した等高線座標情報と該等高線座標情報に対応する高度のダム提体の既設部の座標情報とに基づき、ダム岩着部を含むコンクリート打設区画のコンクリート打設量を算出することが可能である。これによって、ＴＳ等の測量機械による測量データを用いた場合と比較して高精度なコンクリート打設量を低コストで算出することが可能となる。
また、上記第６の態様に係る出来形管理図生成支援プログラムによれば、上記出来形管理図の生成に３次元ＣＡＤソフトを利用する際に、３次元ＣＡＤソフトの複雑な画面操作を自動化又は半自動化することが可能となるので、３次元ＣＡＤソフトの操作が不得手な作業者でも手軽に出来形管理図を生成することが可能となる。
【図面の簡単な説明】
【００１８】
【図１】（ａ）〜（ｄ）は、実施形態に係る重力式コンクリートダムの施工手順を説明するための図であり、河川の下流側から見た図である。
【図２】施工中のダム提体領域を上面から見た平面図である。
【図３】実施形態に係るダム施工用の測量用写真撮影方法を利用した岩着区画のコンクリート打設手順を示すフローチャートである。
【図４】（ａ）〜（ｆ）は、実施形態に係るダム施工用の測量用写真撮影方法を利用した岩着区画のコンクリート打設手順の流れを説明するための図であり、河川の下流側から見た図である。
【図５】（ａ）は、型枠設置時の基準点の設定方法を説明するための平面図であり、（ｂ）は、基準点として設定する標識の一例を示す図である。
【図６】（ａ）及び（ｂ）は、実施形態に係る測量用写真の撮影方法を説明するための図である。
【図７】リフトアップタイミングでの基準点の設定方法を説明するための平面図である。
【図８】実施形態に係る岩着部施工情報生成システム１の構成を示すブロック図である。
【図９】実施形態に係る出来形情報生成装置のハードウェア構成の一例を示すブロック図である。
【図１０】実施形態に係る出来形情報生成装置の機能構成の一例を示すブロック図である。
【図１１】実施形態に係る出来形管理図生成支援処理の処理手順の一例を示すフローチャートである。
【図１２】実施形態に係る出来形管理図生成処理の処理手順の一例を示すフローチャートである。
【図１３】（ａ）は、３次元点群データの一例を示す図であり、（ｂ）は、現場ＣＡＤ図面に３次元点群データを貼り付けた一例を示す図であり、（ｃ）は、ＴＩＮモデルの一例を示す図であり、（ｄ）は、等高線俯瞰図の一例を示す図である。
【図１４】（ａ）〜（ｃ）は、出来形管理図の生成工程を示す図である。
【図１５】測量用写真の撮影から出来形管理図を生成するまでにかかる作業時間の一例を示す図である。
【図１６】型枠設置時の基準点の設定方法の他の例を説明するための平面図である。
【発明を実施するための形態】
【００１９】
次に、図面を参照して、本発明の実施形態を説明する。以下の図面の記載において、同一又は類似の部分には同一又は類似の符号を付している。但し、図面は模式的なものであり、部材ないし部分の縦横の寸法や縮尺は実際のものとは異なることに留意すべきである。従って、具体的な寸法や縮尺は以下の説明を参酌して判断すべきものである。また、図面相互間においても互いの寸法の関係や比率が異なる部分が含まれていることはもちろんである。
また、以下に示す実施形態は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された請求項が規定する技術的範囲内において、種々の変更を加えることができる。
【００２０】
なお、本実施形態では、本発明を重力式コンクリートダムの施工に適用した場合を例に挙げて説明する。
以下、重力式コンクリートダムの施工手順の一部を大まかに説明する。ここで、本実施形態では、ダムの施工方法として拡張レヤ工法を適用した場合を例に挙げて説明する。
（１）図１（ａ）に示すような河川を囲む地山１００の同図中の破線で示すダムサイト１００ｄの範囲内を掘削して岩盤を露出させる。加えて、露出させた岩盤の表層の土砂や風化岩を除去する。これによって、図１（ｂ）に示すように、ダム提体の底面を支持する基礎地盤１０１、上流側から見てダム提体の右側面を支持する右岸基礎岩盤１０２及びダム提体の左側面を支持する左岸基礎岩盤１０３を露出させる。更に、グラウチングを行って、基礎地盤１０１、右岸基礎岩盤１０２及び左岸基礎岩盤１０３の強度、変形性及び遮水性等を改良する。なお、図１（ｂ）中の破線で示す部分が、ダム提体を建設する領域であるダム提体領域１０４となる。
【００２１】
（２）右岸基礎岩盤１０２及び左岸基礎岩盤１０３の表面に対して、岩盤の風化を防ぐための表面保護部材である保護モルタルを吹き付ける。これによって、図１（ｃ）に示すように、ダム提体領域１０４における、右岸基礎岩盤１０２の表面を覆う右岸保護部２０１と、左岸基礎岩盤１０３の表面を覆う左岸保護部２０２とを形成する。
【００２２】
（３）図１（ｄ）及び図２に示すように、予め計画したコンクリートの打設順に、一度に打設可能な複数の打設区画毎に、本実施形態ではスライド式の型枠を設置する。以下、各打設区画を「小区画」、一度に打設可能な複数の打設区画（小区画）を「大区画」と記載する場合がある。
具体的に、図２に示すように、大区画の上流側及び下流側にそれぞれダム提体の型枠として下流側型枠３０１及び上流側型枠３０２（以下、単に「型枠３０１及び３０２」と略記する場合がある）を設置する。ここで、下流側型枠３０１は、ダム提体の下流側の面が傾斜面となるため上流側に向かって斜めに立ち上がっている。なお、図２に示すように、破線で区切られた区画が小区画となり、複数の連続する小区画から大区画が形成される。
【００２３】
（４）大区画毎に型枠３０１及び３０２で挟まれた内側の領域内に区画間でリフト差が生じないようにコンクリートを打設する。即ち、拡張レヤ工法では、コンクリートを面状に打設していく。
（５）型枠３０１及び３０２の高さ分のコンクリートの打設を完了後は、型枠３０１及び３０２をリフトアップする。そして、リフトアップ後の大区画に対して、コンクリートを打設する。
上記（３）〜（５）を繰り返し、大区画の型枠の設置又はリフトアップ及び一定リフト高さのコンクリートの打設の一連の施工を、本実施形態では、図２に示すように、左岸から右岸に向かって行う。即ち、一度に打設可能な大区画毎に左岸から右岸に向かって面状にコンクリートを打設していく。このようにして、ダム提体を構築する。
【００２４】
ここで、重力式コンクリートダムの施工では、型枠３０１及び３０２を設置後又はリフトアップ（スライドアップともいう）後に、ＴＳ等の測量機械によって型枠３０１の正確な位置（３次元座標）が測量される。
また、ダム提体の右岸基礎岩盤１０２及び左岸基礎岩盤１０３との岩着部を含むコンクリート打設区画は、型枠３０１及び３０２の設置前及びリフトアップ前に、右岸保護部２０１及び左岸保護部２０２の一部を掘削する。具体的に、予め設定された範囲（例えば、５〜６リフト分）の保護モルタルを掘削してダム提体の側面を岩着する岩盤面、即ち岩着面を露出させる。
【００２５】
そして、岩着面を露出後は、この岩着面及びダム提体の岩着部を含むコンクリートの打設区画（以下、「岩着区画」と記載する場合がある）に型枠３０１及び３０２を設置後に岩着面の形状を測量する。なお、型枠３０１及び３０２が既に設置されている場合は、型枠３０１及び３０２のリフトアップ前に岩着面の形状を測量する。更に、この測量結果に基づき、岩着区画の１リフト分の正確なコンクリート打設量を計算し、発注者との協議により打設量が確定してから該当する岩着区画にコンクリートを打設する。
ここで、岩盤面を測量する際に、従来は、ＴＳ等の測量機械を用いて作業者２名以上にて１リフト毎に岩着面の測量を行っていた。これに対して、本実施形態では、デジタルカメラによる写真測量を用いて１人の作業者によって複数リフト分を一度に測量する。
【００２６】
以下、本実施形態に係るダム施工用の測量用写真撮影方法を利用した岩着区画のコンクリート打設手順について説明する。
岩着区画に型枠を設置する際又は岩着区画に既設の型枠をリフトアップする際に、図３に示すように、まず、ステップＳ１に移行する。
ステップＳ１では、型枠の設置前又はリフトアップ前に、予め設定された範囲の保護モルタル部分を掘削する。その後、ステップＳ２に移行する。
ここで、保護モルタルの掘削範囲は、例えば、ダム提体の総リフト数をＮ（例えば、Ｎ＝４０）として、Ｍリフト（Ｍは２≦Ｍ＜Ｎの自然数）分の範囲となる。なお、後述する撮影諸元で精度良く撮影を行うためには、１リフトを１．５［ｍ］としてＭを５〜６に設定するのが望ましい。
【００２７】
具体的に、本実施形態では、図４（ａ）に示すように、例えば、右岸の岩着区画に型枠３０１及び３０２を設置する前段階で、図４（ｂ）及び図６（ａ）に示すように、右岸保護部２０１を構成する保護モルタルのうち５リフト分の範囲を掘削する。
保護モルタルを掘削することによって、右岸基礎岩盤１０２のダム提体が岩着する部分である右岸岩着面部１０２ａを露出させる。なお、左岸側を施工する場合も同様に、型枠設置前又はリフトアップ前に、例えば左岸保護部２０２の５リフト分の保護モルタルを掘削して、左岸基礎岩盤１０３のダム提体が岩着する部分である左岸岩着面部１０３ａを露出させる。
ステップＳ２では、右岸岩着面部１０２ａ又は左岸岩着面部１０３ａのうち今回の撮影対象の岩着面部を含む撮影対象領域内に３点以上の基準点を設定する。その後、ステップＳ３に移行する。
【００２８】
本実施形態では、例えば、図４（ｃ）及び図５（ａ）に示すように、右岸岩着区画ＲＣＲに型枠を設置後でかつコンクリートの打設前に、右岸岩着面部１０２ａに接する型枠部分である下流側右型枠部３０１Ｒ及び上流側右型枠部３０２Ｒの２箇所の型枠部を基準点として利用する。具体的に、２箇所の型枠部３０１Ｒ及び３０２Ｒの右岸岩着面部１０２ａと接する端部の上側角部をそれぞれ右岸第１基準点５０１ａ及び右岸第２基準点５０１ｂとして利用する。この際、本実施形態では、例えば、図５（ｂ）に示すような、対空標識６００を設置する。
【００２９】
一方、本実施形態において、保護モルタルを掘削後に下流側右型枠部３０１Ｒ及び上流側右型枠部３０２Ｒをリフトアップする段階では、図７に示すように、リフトアップする前の２箇所の型枠部３０１Ｒ及び３０２Ｒの右岸岩着面部１０２ａと接する端部の上側角部をそれぞれ右岸第１基準点５０１ａ及び右岸第２基準点５０１ｂとして利用する。なお、これに限らず、リフトアップ後の型枠部３０１Ｒ及び３０２Ｒを基準点として利用する構成としてもよい。
ここで、型枠の位置は事前にＴＳ等の測量機械による測量（以下、「型枠測量」と記載する場合がある）によって正確な位置が測量されている。そこで、本実施形態では、この３次元座標が既知の型枠の位置を基準点として利用している。
【００３０】
更に、本実施形態では、図５（ａ）に示すように、ダム軸と直交する方向の位置が、右岸第１基準点５０１ａ及び右岸第２基準点５０１ｂの略中間位置で、かつ右岸岩着面部１０２ａ上の任意の高さ位置に、右岸第３基準点５０１ｃを設定する。この右岸第３基準点５０１ｃも他の基準点と同様に対空標識６００を設置することで設定する。但し、この右岸第３基準点５０１ｃは、正確な位置が不明である。そのため、例えば、型枠等の座標情報が既知の箇所からスチールテープ等を引っ張ってきて、このスチールテープの幅方向及び高さ方向の長さを測り、この長さ分を既知の座標情報に対して加減算して求めるようにする。なお、この方法に限らず、別途ＴＳ等の測量機械で測量して求めるようにしてもよいし、写真撮影の前に型枠を先に設置する場合又はリフトアップする場合は、型枠測量の際に、ついでに右岸第３基準点５０１ｃの位置を求めておくようにしてもよい。
【００３１】
一方、本実施形態において、保護モルタルを掘削後に下流側右型枠部３０１Ｒ及び上流側右型枠部３０２Ｒをリフトアップする段階では、図７に示すように、右岸第１基準点５０１ａ及び右岸第２基準点５０１ｂの略中間位置で、かつ右岸岩着面部１０２ａ上の任意の高さ位置に、右岸第３基準点５０１ｃを設定する。
左岸側も同様に、図５（ａ）及び図７に示すように、左岸岩着区画ＲＣＬに型枠を設置後又は既設の型枠のリフトアップ前に、下流側左型枠部３０１Ｌ及び上流側左型枠部３０２Ｌの左岸岩着面部１０３ａと接する端部の上側角部をそれぞれ左岸第１基準点５０２ａ及び左岸第２基準点５０２ｂに設定する。更に、これらの略中間位置で、かつ左岸岩着面部１０３ａ上の任意の高さ位置に、左岸第３基準点５０２ｃを設定する。
【００３２】
ステップＳ３では、保護モルタルを掘削後の露出した岩着面部分と、岩着面部分の基準点位置及び型枠部の基準点位置に設置された対空標識６００とを含む撮影対象領域を、デジタルカメラによって撮影する。その後、ステップＳ４に移行する。
ここで、本実施形態では、図４（ｃ）及び図６（ａ）に示すように、撮影対象領域を、地上又は養生後のコンクリート上（ダム提体の既設部上）から、デジタルカメラＤＣによって撮影する。即ち、岩着区画に型枠３０１及び３０２を設置時は、コンクリートの打設前となるため地上から撮影し、岩着区画の型枠３０１及び３０２のリフトアップ時は、コンクリートの打設後となるので既設部上から撮影する。
【００３３】
また、本実施形態では、撮影画像データから３次元点群データを生成する際の画像処理技術として、公知のＳＦＭを採用した既存の画像処理ソフトを利用する。ＳＦＭのマッチング処理には、特徴点を抽出するために１０００万画素以上の撮影画像が必要となるため、有効画素数が１０００万画素以上のデジタルカメラＤＣを用いて撮影を行う。
また、撮影前の準備として、撮影諸元の設定を行う。本実施形態では、写真測量によって得た測量データから、最終的に、岩着区画の出来形を３次元モデルで表現すると共に、この出来形のデータから岩着区画の１リフト毎のコンクリート打設量を算出する。そのため、本実施形態では、計測精度を２［ｃｍ］に設定する。具体的に、２［ｃｍ］の計測精度を確保するため、ＧＳＤ（Ground Sample Distance：地上サンプル距離）が０．４［ｃｍ］以下となるように撮影諸元（焦点距離、撮影距離等）を設定する。
【００３４】
ここで、一般に、ＧＳＤを、目標とする計測精度の１／５（例えば、計測精度が１［ｃｍ］なら０．２［ｃｍ］）とすることで、その計測精度が得られる。
撮影諸元の設定後は、例えば、図６（ａ）及び（ｂ）に示すように、右岸側の撮影対象領域５５０を、地上又はダム提体の既設部上の異なる複数の撮影位置から、デジタルカメラＤＣによって、撮影位置のそれぞれで複数枚ずつ撮影する。加えて、隣接する撮影画像同士で撮影領域の一部が重複（ラップ）するように撮影を行う。これにより、撮影対象領域５５０が、複数の撮影領域に分割された複数の撮影画像を得る。以下、この撮影方法を「ステレオ撮影」と記載する場合がある。
【００３５】
本実施形態では、図６（ａ）及び（ｂ）に示すように、作業者は、撮影対象領域５５０を、地上又はダム提体の既設部上から手持ちのデジタルカメラＤＣで、右岸岩着面部１０２ａから所定距離（例えば、１０［ｍ］以下）を空けた位置から撮影する。
具体的に、作業者は、図６（ｂ）に示すように、撮影距離をなるべく保ちながら、右岸岩着面部１０２ａの幅方向の一方の側から他方の側に向かって移動しつつ複数箇所で立ち止まり、その立ち止まった際に、図６（ａ）に示すように、高さ方向の撮影角度を変えながら複数枚の撮影を行う。例えば、幅方向に所定距離（例えば、２［ｍ］）を移動しては立ち止まり、立ち止まった位置で複数枚を撮影といった動作を、幅方向の一方の側から他方の側まで繰り返し行う。
【００３６】
ここで、十分な精度のステレオマッチングを行うために必要なラップ率は、オーバーラップ率が６０［％］以上、サイドラップ率が３０［％］以上となる。そのため、図６（ｂ）の例では、オーバーラップ率８０［％］、サイドラップ率８０［％］となるように撮影を行っている。なお、図６（ｂ）に示す撮影領域５６０ａ〜５６０ｑのうち、枠線の種類が同じ領域が、同じ撮影位置からの撮影領域となる。
また、図６（ｂ）に示すように、撮影対象領域５５０内には、右岸第１〜第３基準点５０１ａ〜５０１ｃが含まれており、ラップ状態で連続する複数の撮影領域のいずれかに、これら３つの基準点が必ず写り込むように撮影する。図６（ｂ）の例では、撮影領域５６０ｇ及び５６０ｎに右岸第１基準点５０１ａが、撮影領域５６０ｊ及び５６０ｑに右岸第２基準点５０１ｂが、撮影領域５６０ｉ及び５６０ｈに右岸第３基準点５０１ｃが含まれている。なお、左岸側も右岸側と同様の要領で撮影を行う。
【００３７】
ステップＳ４では、ステップＳ３で撮影して得られた撮影対象領域の複数の撮影画像データから、３次元点群データ生成用の画像処理ソフトを用いて、撮影対象領域の３次元点群データを生成する。その後、ステップＳ５に移行する。
ステップＳ５では、ステップＳ４で生成した３次元点群データから、３次元ＣＡＤソフトを用いて、撮影対象領域に含まれる岩着区画に対応する出来形管理図を生成する。その後、ステップＳ６に移行する。
【００３８】
ステップＳ６では、ステップＳ５で生成した出来形管理図のデータに基づき、１リフト毎の岩着区画のコンクリートの打設に必要なコンクリート打設量を算出する。その後、ステップＳ７に移行する。即ち、右岸岩着区画ＲＣＲ又は左岸岩着区画ＲＣＬの１リフト毎のコンクリート打設量ＶＲ又はＶＬを算出する。
ステップＳ７では、コンクリート打設量が確定した岩着区画に対して、型枠のリフトアップが必要な場合はリフトアップを行ってから１リフト毎にコンクリートの打設を行う。その後、一連の処理を終了する。
【００３９】
上記Ｓ１〜Ｓ７の処理は、保護モルタルを掘削した分の岩着面部に対するコンクリートの打設が完了する毎に繰り返し行われる。
具体的に、図４（ｄ）に示すように、前回の保護モルタルの掘削範囲（例えば、５リフト分）に対してコンクリートの打設が完了し、岩着区画の手前の区画まで型枠のリフトアップが完了したとする。なお、図４（ｄ）中の符号４０１は、打設済のコンクリートから構成されるダム提体の既設部である。この状況において、岩着区画の型枠のリフトアップを行う前に、例えば、図４（ｅ）に示すように、右岸保護部２０１の次の範囲の保護モルタルが掘削される。
【００４０】
保護モルタルを掘削後は、引き続き、図７に示すように、リフトアップ前の型枠部３０１Ｒ及び３０２Ｒの右岸岩着面部１０２ａと接する側の端部の上側角部を右岸第１基準点５０１ａ及び右岸第２基準点５０１ｂとして設定する。加えて、ダム軸と直交する方向の位置が、右岸第１基準点５０１ａ及び右岸第２基準点５０１ｂの略中間位置で、かつ右岸岩着面部１０２ａ上の任意の高さ位置に、右岸第３基準点５０１ｃを設定する。左岸側も同様の手順で、左岸第１基準点５０２ａ、左岸第２基準点５０２ｂ及び左岸第３基準点５０２ｃを設定する。即ち、各基準点位置に図５（ｂ）に示す対空標識６００を設置する。以降は、上記同様にステップＳ３〜Ｓ７の手順で測量用写真の撮影、３次元点群データの生成、出来形管理図の生成、コンクリート打設量の算出及び岩着区画のコンクリートの打設を行う。
【００４１】
（岩着部施工情報生成システム１の構成）
次に、上記ステップＳ４〜Ｓ６の３次元点群データの生成、出来形管理図の生成、及びコンクリート打設量の算出を行うシステムである、本実施形態に係る岩着部施工情報生成システム１について説明する。
この岩着部施工情報生成システム１は、図８に示すように、出来形情報生成装置２と、点群データ生成装置３とを備える。出来形情報生成装置２と、点群データ生成装置３とは、インターネット７００を介して相互にデータ通信可能に接続されている。
出来形情報生成装置２は、３次元ＣＡＤソフトによって、撮影対象領域の３次元点群データから、岩着面のＴＩＮモデルの生成、及び岩着区画の出来形管理図の生成を行う。更に、生成した出来形管理図のデータから撮影対象領域に含まれる岩着区画の１リフト毎のコンクリート打設量を算出する。
【００４２】
点群データ生成装置３は、インターネット７００を介して送信されてきた、撮影対象領域をステレオ撮影して得られた複数の撮影画像データから、ＳＦＭを用いて撮影対象領域の３次元点群データを生成する。そして、生成した３次元点群データを、インターネット７００を介して撮影データの送信元の端末に送信する。即ち、点群データ生成装置３は、３次元点群データを生成するクラウドサービスを提供するサーバ装置である。例えば、オートデスク社の提供する「ＲｅＣａｐ（登録商標）  ３６０  クラウドサービス」のサーバ装置などが該当する。ここで、「ＲｅＣａｐ  ３６０」は、ＳＦＭを用いて３次元点群データを生成する画像処理ソフトである。
【００４３】
具体的に、点群データ生成装置３は、点群データ生成サービス用のＷｅｂページを提供している。点群データ生成装置３は、このＷｅｂページを介して、出来形情報生成装置２からの３次元点群データの生成依頼と、ステレオ撮影された撮影対象領域の複数の撮影画像データと、基準点の位置情報等を含む３次元点群データの生成に必要な情報とを取得する。そして、取得した撮影画像データ及び情報から撮影対象領域の３次元点群データを生成し、生成した３次元点群データを、インターネット７００を介して依頼元の出来形情報生成装置２へと送信する。
【００４４】
（出来形情報生成装置２のハードウェア構成）
次に、出来形情報生成装置２の具体的なハードウェア構成を説明する。
出来形情報生成装置２は、図９に示すように、コンピュータシステムとして、ＣＰＵ（Central Processing Unit）２０と、ＲＡＭ（Random Access Memory）２１と、ＲＯＭ（Read Only Memory）２２とを備える。加えて、入出力インターフェース（Ｉ／Ｆ）２４と、データ転送用の各種内外バス２５とを備える。
このコンピュータシステムは、ＣＰＵ２０、ＲＡＭ２１及びＲＯＭ２２との間を各種内外バス２５で接続していると共に、このバス２５に入出力Ｉ／Ｆ２４を介して、入力装置４０、表示装置４１、通信装置４２、記憶装置４３及びメモリカードリーダ４４が接続されている。
【００４５】
そして、電源を投入すると、ＲＯＭ２２や記憶装置４３等に記憶されたＢＩＯＳ等のシステムプログラムが、ＲＯＭ２２や記憶装置４３等に予め記憶された各種のコンピュータプログラムをＲＡＭ２１にロードする。そして、ＲＡＭ２１にロードされたプログラムに記述された命令に従ってＣＰＵ２０が各種リソースを駆使して所定の制御及び演算処理を行うことで後述する各機能をソフトウェア上で実現できるようになっている。
入力装置４０は、マウスやキーボードなどの周知のヒューマンインターフェースデバイスから構成される。
【００４６】
表示装置４１は、液晶ディスプレイ、ＣＲＴディスプレイ、有機ＥＬディスプレイなどの周知の表示デバイスから構成される。
通信装置４２は、ＬＡＮ、ＷＡＮ等のネットワーク上の外部装置と通信するためのデバイスであり、一般にＬＡＮカード等と呼ばれる周知のネットワークアダプタなどから構成される。通信装置４２は、ネットワークケーブルを介してルータやハブ等に接続され、これらを介して、出来形情報生成装置２をインターネット７００に接続する。
【００４７】
記憶装置４３は、ハードディスク等の大容量の記憶デバイスから構成されている。この記憶装置４３には、３次元ＣＡＤソフトや、Ｗｅｂブラウザプログラム、出来形管理図生成支援用のプログラム、コンクリート打設量演算用のプログラム等の各種プログラム、各種プログラムの実行に必要なデータ等が記憶されている。例えば、ダム提体の既設部の測量データや、現場（ダムサイト１００ｄ）の測量図面、型枠の測量データ等が記憶されている。
メモリカードリーダ４４は、本実施形態では、デジタルカメラＤＣ等の電子機器で用いられているデータ記憶用のメモリカードからデータを読み出す装置である。
【００４８】
（出来形情報生成装置２の機能構成）
次に、出来形情報生成装置２の具体的な機能構成を説明する。
出来形情報生成装置２の機能構成部５０は、図１０に示すように、Ｗｅｂブラウザ機能部５１と、データ通信制御部５２と、出来形管理図生成支援部５３と、３次元ＣＡＤ機能部５４と、打設量算出部５５とを備える。なお、これら各構成部の機能は、ＣＰＵ２０によって、各種プログラムを実行することで実現される機能となる。
Ｗｅｂブラウザ機能部５１は、公知のＷｅｂブラウザと同等の機能を有している。本実施形態のＷｅｂブラウザ機能部５１は、主に点群データ生成装置３の提供する点群データ生成サービスを利用する際に用いられる。即ち、Ｗｅｂブラウザ機能部５１は、入力装置４０を介した、点群データ生成装置３の提供する３次元点群データ生成サービス用のＷｅｂページのＵＲＬの入力に応じて、データ通信制御部５２を介して、点群データ生成装置３にアクセスする。そして、点群データ生成装置３からＷｅｂページのデータを受信し、受信したデータに基づき３次元点群データ生成用のＷｅｂページを表示装置４１に表示する。
【００４９】
その後、入力装置４０を介した作業者の操作入力によって、撮影対象領域の複数の撮影画像データが選択され、かつその送信指示が入力されると、Ｗｅｂブラウザ機能部５１は、選択された複数の撮影画像データを、データ通信制御部５２を介して点群データ生成装置３に送信する（アップロードする）。
更に、Ｗｅｂブラウザ機能部５１は、点群データ生成装置３で３次元点群データが生成された後は、入力装置４０を介した作業者の３次元点群データの表示指示の操作入力に応じて、指定された３次元点群データを表示装置４１に表示する。
【００５０】
また、Ｗｅｂブラウザ機能部５１は、入力装置４０を介した作業者の３次元点群データのダウンロード指示の操作入力に応じて、指定された３次元点群データを、データ通信制御部５２を介してダウンロードする。そして、ダウンロードした３次元点群データを、記憶装置４３に記憶する。
データ通信制御部５２は、Ｗｅｂブラウザ機能部５１等の機能構成部からのデータ送信要求に応じて、通信装置４２を介して、インターネット７００に接続された点群データ生成装置３等の外部装置へとデータを送信する。また、インターネット７００を介して外部装置から出来形情報生成装置２に送信されてきたデータを、通信装置４２を介して受信し、受信したデータを、対応する機能構成部へと出力する。
【００５１】
出来形管理図生成支援部５３は、出来形管理図の生成に必要な３次元ＣＡＤ機能部５４の画面操作を支援する機能を有する。具体的に、出来形管理図生成支援部５３は、ＣＰＵ２０によって、記憶装置４３にインストールされている３次元ＣＡＤソフトが実行され、３次元ＣＡＤ機能部５４が機能している状態のときに支援処理を実行する。そして、出来形管理図の生成に必要な画面操作を自動化する。
この画面操作の自動化は、例えば、画像認識技術を用いて行う。即ち、画面操作時にマウスでクリックされるドロップダウンマーク等のマークや文字等を画像認識し、認識した画像位置をマウスでクリックする操作入力情報を生成する。そして、この操作入力情報を、３次元ＣＡＤソフトに入力することで、作業者がマウスを操作することなく認識された画像をクリックする。この自動化を行うプログラムは、例えば、公知のソフトウェアであるＳｉｋｕｌｉを利用することで容易に作成可能である。Ｓｉｋｕｌｉは、画像認識を使ってＵＩ（User Interface）の操作を自動化するソフトウェアである。
【００５２】
３次元ＣＡＤ機能部５４は、ＴＩＮモデル生成部５４ａと、等高線座標情報抽出部５４ｂと、出来形管理図生成部５４ｃとを備える。
ＴＩＮモデル生成部５４ａは、岩着面部分を含む撮影対象領域の３次元点群データと現場測量データ（ＣＡＤ平面図データ）とから岩着面部分のＴＩＮモデルを生成する機能を有している。なお、このような機能を有する３次元ＣＡＤソフトとしては、例えば、オートデスク社の「ＡｕｔｏＣＡＤ  Ｃｉｖｉｌ３Ｄ（登録商標）」等がある。
等高線座標情報抽出部５４ｂは、岩着面部分のＴＩＮモデルから、入力された高度に対応する等高線座標情報を抽出する機能を有している。
【００５３】
出来形管理図生成部５４ｃは、抽出した等高線座標情報から形成される等高線画像（岩着面の凹凸を示す画像）を、入力された高度に対応するダム提体の岩着区画と隣接する区画の既設部の断面図に合成して、岩着区画の出来形管理図を生成する機能を有している。
打設量算出部５５は、岩着区画の出来形管理図から読み取れるコンクリート打設量の算出に必要な情報（岩着区画の平面積又は平面積を算出するのに必要な情報など）の入力に応じて、対応する高度の岩着面部分の１リフト分のコンクリート打設量を算出する。例えば、前回の平面積と今回の平面積とを足して２で割り、この結果に１リフト分の高さ（例えば１．５［ｍ］）を乗算することで次に打設する１リフト分のコンクリート打設量を算出する。そして、今回の平面積と算出したコンクリート打設量とを高度情報等と対応付けて記憶装置４３に記憶すると共に算出したコンクリート打設量を表示装置４１に表示する。
【００５４】
（出来形管理図生成支援処理）
次に、出来形管理図生成支援部５３で実行される出来形管理図生成支援処理の処理手順を説明する。
ＣＰＵ２０において、出来形管理図生成支援プログラムが実行され出来形管理図生成支援処理が開始されると、図１１に示すように、まず、ステップＳ１００に移行する。
ステップＳ１００では、出来形管理図生成支援部５３において、ＯＫボタン画像及び取消ボタン画像を含む開始選択用のポップアップ画像を表示装置４１に表示する。その後、ステップＳ１０２に移行する。
ステップＳ１０２では、出来形管理図生成支援部５３において、入力装置４０を介した操作入力によってＯＫボタン画像が押下されたか否かを判定する。そして、ＯＫボタン画像が押下されたと判定した場合（Ｙｅｓ）は、ステップＳ１０４に移行し、そうでないと判定した場合（Ｎｏ）は、ステップＳ１２０に移行する。
【００５５】
ステップＳ１０４に移行した場合は、出来形管理図生成支援部５３において、予め指定された３次元点群データからＴＩＮモデルを生成するために必要な画面操作を行う操作入力情報である第１の操作情報ＩＮ１を、３次元ＣＡＤ機能部５４のＴＩＮモデル生成部５４ａに入力する。そして、ＴＩＮモデルの生成後に、ステップＳ１０５に移行する。
ここで、第１の操作情報ＩＮ１は、例えば、ＴＳ等によって測量されたダムサイトの測量図面（ＣＡＤ平面図）に、３次元点群データを貼り付ける画面操作の入力情報、３次元点群データからＴＩＮモデルを生成するための詳細設定をする画面操作の入力情報などが含まれる。
【００５６】
ステップＳ１０５では、出来形管理図生成支援部５３において、ＴＩＮモデルから等高線座標情報を抽出するためにＴＩＮモデルを等高線俯瞰表示して高度を入力する画面を表示するまでに必要な画面操作を行う操作入力情報である第２の操作情報ＩＮ２を、３次元ＣＡＤ機能部５４の等高線座標情報抽出部５４ｂに入力する。そして、高度を入力する画面の表示後に、ステップＳ１０６に移行する。
ステップＳ１０６では、出来形管理図生成支援部５３において、抽出する等高線座標の高度の入力を促すメッセージ画像とＯＫボタン画像とを含む高度入力用のポップアップ画像を表示装置４１に表示する。その後、ステップＳ１０８に移行する。
【００５７】
ステップＳ１０８では、出来形管理図生成支援部５３において、高度が入力されたか否か（高度が入力されかつＯＫボタン画像が押下されたか否か）を判定する。そして、高度が入力されたと判定した場合（Ｙｅｓ）は、ステップＳ１１０に移行し、そうでないと判定した場合（Ｎｏ）は、入力されるまで判定処理を繰り返す。
ステップＳ１１０に移行した場合は、出来形管理図生成支援部５３において、等高線俯瞰表示されたＴＩＮモデルから、入力高度に対応する等高線座標情報を抽出するのに必要な画面操作を行う操作入力情報である第３の操作情報ＩＮ３を、３次元ＣＡＤ機能部５４の等高線座標情報抽出部５４ｂに入力する。そして、入力高度に対応する等高線座標情報の抽出後に、ステップＳ１１２に移行する。
【００５８】
ステップＳ１１２では、出来形管理図生成支援部５３において、抽出した等高線座標情報を、この等高線座標情報に対応する高度のダム提体の既設部の断面図に合成して出来形管理図を生成するのに必要な画面操作の入力情報である第４の操作情報ＩＮ４を、３次元ＣＡＤ機能部５４の出来形管理図生成部５４ｃに入力する。そして、出来形管理図の生成後に、ステップＳ１１４に移行する。
ステップＳ１１４では、出来形管理図生成支援部５３において、生成された出来形管理図の保存名の入力を促すメッセージ画像とＯＫボタン画像とを含む保存名入力用のポップアップ画像を表示装置４１に表示する。その後、ステップＳ１１６に移行する。
【００５９】
ステップＳ１１６では、出来形管理図生成支援部５３において、保存名が入力されたか否か（保存名が入力されかつＯＫボタン画像が押下されたか否か）を判定する。そして、入力されたと判定した場合（Ｙｅｓ）は、ステップＳ１１８に移行し、そうでないと判定した場合（Ｎｏ）は、入力されるまで判定処理を繰り返す。
ステップＳ１１８に移行した場合は、出来形管理図生成支援部５３において、入力された保存名で出来形管理図の画像データを記憶装置４３に保存するのに必要な画面操作を行う操作入力情報である第５の操作情報ＩＮ５を３次元ＣＡＤ機能部５４の出来形管理図生成部５４ｃに入力する。その後、一連の処理を終了する。
一方、ステップＳ１０２において、ＯＫボタン画像が押下されずにステップＳ１２０に移行した場合は、出来形管理図生成支援部５３において、取消ボタン画像が押下されたか否かを判定する。そして、取消ボタン画像が押下されたと判定した場合（Ｙｅｓ）は、一連の処理を終了し、そうでないと判定した場合（Ｎｏ）は、ステップＳ１０２に移行する。
【００６０】
（出来形管理図生成処理）
次に、３次元ＣＡＤ機能部５４で実行される出来形管理図生成処理の処理手順を説明する。
ＣＰＵ２０において、３次元ＣＡＤソフトが起動されると、図１２に示すように、まず、ステップＳ２００に移行する。
ステップＳ２００では、３次元ＣＡＤ機能部５４において、第１の操作情報ＩＮ１が入力されたか否かを判定する。そして、第１の操作情報ＩＮ１が入力されたと判定した場合（Ｙｅｓ）は、ステップＳ２０２に移行し、そうでないと判定した場合（Ｎｏ）は、第１の操作情報ＩＮ１が入力されるまで判定処理を繰り返す。
【００６１】
ステップＳ２０２に移行した場合は、３次元ＣＡＤ機能部５４のＴＩＮモデル生成部５４ａにおいて、入力された第１の操作情報ＩＮ１による画面操作に応じて、詳細情報を設定すると共に３次元点群データを現場ＣＡＤ図面の対応する座標位置に貼り付ける。その後、詳細設定情報及び現場ＣＡＤ図面の情報に加えて３次元点群データからＴＩＮモデルを生成して、ステップＳ２０３に移行する。
ステップＳ２０３では、３次元ＣＡＤ機能部５４において、第２の操作情報ＩＮ２が入力されたか否かを判定する。そして、入力されたと判定した場合（Ｙｅｓ）は、ステップＳ２０４に移行し、そうでないと判定した場合（Ｎｏ）は、第２の操作情報ＩＮ２が入力されるまで判定処理を繰り返す。
【００６２】
ステップＳ２０４に移行した場合は、３次元ＣＡＤ機能部５４の等高線座標情報抽出部５４ｂにおいて、入力された第２の操作情報ＩＮ２による画面操作に応じて、等高線俯瞰図を表示すると共に、抽出対象の等高線座標情報の高度を入力する画面を表示する。その後、ステップＳ２０６に移行する。
ステップＳ２０６では、３次元ＣＡＤ機能部５４において、第３の操作情報ＩＮ３が入力されたか否かを判定する。そして、第３の操作情報ＩＮ３が入力されたと判定した場合（Ｙｅｓ）は、ステップＳ２０８に移行し、そうでないと判定した場合（Ｎｏ）は、第３の操作情報ＩＮ３が入力されるまで判定処理を繰り返す。
【００６３】
ステップＳ２０８に移行した場合は、３次元ＣＡＤ機能部５４の等高線座標情報抽出部５４ｂにおいて、入力された第３の操作情報ＩＮ３による画面操作に応じて、ＣＡＤ表示画面の高度入力欄への高度入力用ポップアップ画像で入力された高度を入力し、等高線俯瞰図から入力高度に対応する等高線座標情報を抽出する。その後、ステップＳ２１０に移行する。
ステップＳ２１０では、３次元ＣＡＤ機能部５４において、第４の操作情報ＩＮ４が入力されたか否かを判定する。そして、入力されたと判定した場合（Ｙｅｓ）は、ステップＳ２１２に移行し、そうでないと判定した場合（Ｎｏ）は、第４の操作情報ＩＮ４が入力されるまで判定処理を繰り返す。
【００６４】
ステップＳ２１２に移行した場合は、３次元ＣＡＤ機能部５４の出来形管理図生成部５４ｃにおいて、入力された第４の操作情報ＩＮ４による画面操作に応じて、抽出した等高線座標情報の示す等高線画像を、該等高線画像の高度でダム提体の岩着区画に隣接する区画を切断した断面図に合成する。これにより、入力高度に対応する岩着区画の出来形管理図を生成して、ステップＳ２１４に移行する。
ステップＳ２１４では、３次元ＣＡＤ機能部５４において、第５の操作情報ＩＮ５が入力されたか否かを判定する。そして、入力されたと判定した場合（Ｙｅｓ）は、ステップＳ２１４に移行し、そうでないと判定した場合（Ｎｏ）は、第５の操作情報ＩＮ５が入力されるまで判定処理を繰り返す。
ステップＳ２１６に移行した場合は、３次元ＣＡＤ機能部５４の出来形管理図生成部５４ｃにおいて、生成した出来形管理図を、入力された保存名で記憶装置４３に保存する。その後、一連の処理を終了する。
【００６５】
（動作）
次に、図４〜図７を参照しつつ図１３〜図１５に基づき、本実施形態の動作を説明する。
いま、重力式コンクリートダムの施工中に、岩着区画に既設の型枠３０１及び３０２のリフトアップを行うために、図４（ｅ）に示すように、右岸保護部２０１を構成する５リフト分（例えば地上から６〜１０リフト目）の保護モルタルの掘削が行われたとする。
保護モルタルが掘削され右岸岩着面部１０２ａが露出すると、測量用写真を撮影する作業者は、図７に示すように、リフトアップ前の型枠３０１及び３０２のそれぞれ右岸側岩着面と対向する端部の上側角部に対空標識６００を設置する。これによって、右岸第１基準点５０１ａ及び右岸第２基準点５０１ｂを設定する。続いて、ＴＳ等によって、右岸第１基準点５０１ａ及び右岸第２基準点５０１ｂの中央位置で、かつ所定高さ位置の右岸岩着面部１０２ａ上に対空標識６００を設置する。これによって、右岸第３基準点５０１ｃを設定する。
【００６６】
作業者は、事前にデジタルカメラＤＣの撮影諸元を、ＧＳＤが０．４［ｃｍ］以下となるように設定する。ここでは、有効画素数が２２３０万画素のデジタルカメラＤＣを用い、焦点距離を２４［ｍｍ］、撮影距離を１０［ｍ］以下とする。また、事前に撮影対象である岩着面の状況を確認することが好ましい。例えば、日差しが強く日光の照り返しが強い場合などは、画像全体に白みがかかるため撮影する時刻をずらすか撮影を避ける。
作業者は、撮影が可能であると判断すると、撮影距離１０［ｍ］以下で、右岸岩着面部１０２ａと、右岸第１〜第３基準点５０１ａ〜５０１ｃとを含む撮影対象領域を、図６（ａ）及び（ｂ）に例示した要領でステレオ撮影する。
【００６７】
このステレオ撮影によって得られた複数の撮影画像データは、デジタルカメラＤＣのメモリカードに記憶される。
続いて、作業者は、撮影対象領域の３次元点群データを生成するために、出来形情報生成装置２のメモリカードリーダ４４にデジタルカメラＤＣから取り外したメモリカードを挿入する。
その後、作業者は、入力装置４０を操作して、Ｗｅｂブラウザを起動し、Ｗｅｂブラウザ機能部５１を機能させる。これにより、表示装置４１にブラウザ画面（図示省略）が表示される。続いて、ブラウザ画面のＵＲＬ入力欄に、３次元点群データ生成サービス用のＷｅｂページのＵＲＬを入力して、点群データ生成装置３にアクセスする。これによって、点群データ生成装置３からＷｅｂページのログイン画面のデータをダウンロードする。これによって、表示装置４１に３次元点群データ生成サービス用のログイン画面（図示省略）が表示される。
【００６８】
ログイン画面が表示されると、作業者は、入力装置４０を介してログインＩＤとパスワードを入力する。これによって、点群データ生成装置３は、認証処理を実行し、作業者が認証されると、出来形情報生成装置２に対して、Ｗｅｂページのデータを送信する。
出来形情報生成装置２は、Ｗｅｂページのデータを受信すると、このデータに基づきＷｅｂページを表示装置４１に表示する。作業者は、Ｗｅｂページが表示されると、画面の案内に従って、入力装置４０を操作し、メモリカードに記憶された複数の撮影画像データからアップロードする撮影画像データを選定する。加えて、基準点の３次元座標情報等の必要な情報を画面の各入力欄に入力する。そして、画面に表示された送信指示ボタン画像を押下する。これによって、選定した撮影画像データ及び入力情報が、インターネット７００を介して点群データ生成装置３に送信される。なお、撮影画像データの選定は、右岸岩着面部１０２ａの全域及び右岸第１〜第３基準点５０１ａ〜５０１ｃが含まれるように行う。
【００６９】
一方、点群データ生成装置３は、出来形情報生成装置２からの複数の撮影画像データ及び入力情報を受信すると、点群データ生成用ソフト（例えば、ＲｅＣａｐ３６０）によって、撮影画像データに含まれる撮影対象領域の３次元点群データを生成する。これによって、例えば、図１３（ａ）に示すような、３次元点群データ１０２０が得られたとする。
点群データ生成装置３は、３次元点群データ１０２０を生成後に、出来形情報生成装置２からの３次元点群データ１０２０のダウンロード要求を受信すると、３次元点群データ１０２０を出来形情報生成装置２に送信する。
【００７０】
出来形情報生成装置２は、点群データ生成装置３から３次元点群データ１０２０をダウンロードすると、ダウンロードした３次元点群データ１０２０を記憶装置４３に記憶する。
作業者は、３次元点群データ１０２０をダウンロードすると、３次元ＣＡＤソフトを起動して、３次元ＣＡＤ機能部５４を機能させる。これによって、３次元ＣＡＤの操作画面が表示装置４１に表示される。引き続き、作業者の入力装置４０を介した操作入力によって、出来形管理図生成支援部５３を機能させる。これにより、表示装置４１には、出来形管理図の生成を開始するためのＯＫボタン画像、及び取り消すための取消ボタン画像を含む開始選択用のポップアップ画像が表示される。
【００７１】
ここでは、作業者は、入力装置４０を介してＯＫボタン画像を押下したとする。これによって、出来形管理図生成支援部５３によって、出来形管理図の生成するための３次元ＣＡＤソフトの画面操作の支援処理が開始される。
出来形管理図生成支援部５３は、まず、予め指定された３次元点群データからＴＩＮモデルを生成するために必要な一連の画面操作を行う操作入力情報である第１の操作情報ＩＮ１を、３次元ＣＡＤ機能部５４のＴＩＮモデル生成部５４ａに入力する。
【００７２】
これによって、３次元ＣＡＤソフトの操作画面が自動で操作され、ＴＩＮモデル生成部５４ａにおいて、図１３（ｂ）に示すように、予め用意された現場（ダムサイト１００ｄ）の測量データから作成されたＣＡＤ平面図である現場平面図１０００上の対応する座標位置に、ダウンロードした３次元点群データ１０２０が貼り付けられる。引き続き、これら現場平面図１０００及び３次元点群データ１０２０に基づき、図１３（ｃ）に示す、不規則な三角形からなるＴＩＮモデル１０２１が生成される。
【００７３】
出来形管理図生成支援部５３は、ＴＩＮモデル１０２１が生成されると、ＴＩＮモデル１０２１を等高線俯瞰表示して、抽出高度の入力画面を表示するまでに必要な３次元ＣＡＤソフトの一連の画面操作を行う操作入力情報である第２の操作情報ＩＮ２を、３次元ＣＡＤ機能部５４の等高線座標情報抽出部５４ｂに入力する。
これによって、３次元ＣＡＤソフトの操作画面が自動で操作され、等高線座標情報抽出部５４ｂにおいて、図１３（ｄ）に示すような、ＴＩＮモデル１０２１の等高線俯瞰図１０２２が表示装置４１に表示される。その後、３次元ＣＡＤの操作画面上に、抽出する等高線座標情報の高度を入力する高度入力画面（図示省略）が表示される。
【００７４】
出来形管理図生成支援部５３は、高度入力画面が表示されると、高度入力用のポップアップ画像（図示省略）を表示装置４１に表示する。これにより、作業者は、入力装置４０を介して、このポップアップ画像の高度入力欄に所望の高度を入力することが可能となる。
ここでは、作業者が、高度入力用のポップアップ画像の高度入力欄に高度を入力しかつＯＫボタン画像を押下したとする。
【００７５】
これにより、出来形管理図生成支援部５３は、入力高度の等高線座標情報を抽出するまでに必要な３次元ＣＡＤソフトの一連の画面操作を行う操作入力情報である第３の操作情報ＩＮ３を、３次元ＣＡＤ機能部５４の等高線座標情報抽出部５４ｂに入力する。
これによって、３次元ＣＡＤソフトの操作画面が自動で操作され、等高線座標情報抽出部５４ｂにおいて、３次元ＣＡＤソフトの高度入力画面に高度が入力され、等高線俯瞰図１０２２から、入力高度に対応する等高線座標情報が抽出される。
【００７６】
出来形管理図生成支援部５３は、等高線座標情報が抽出されると、岩着区画を含むコンクリート打設区画の出来形管理図を生成するまでに必要な３次元ＣＡＤソフトの画面操作を行う操作入力情報である第４の操作情報ＩＮ４を、３次元ＣＡＤ機能部５４の出来形管理図生成部５４ｃに入力する。
これによって、３次元ＣＡＤソフトの操作画面が自動で操作され、出来形管理図生成部５４ｃにおいて、図１４（ａ）に示す、抽出された等高線座標情報で表される等高線画像１０２３と、図１４（ｂ）に示す、ダム提体断面図１０２４とが合成される。
【００７７】
ここで、ダム提体断面図１０２４は、ダム軸を基準とした目盛画像１０２５と、既設部断面図１０２６とを含む画像である。既設部断面図１０２６は、抽出した等高線座標情報の示す位置の岩着面部を含む岩着区画と隣接するダム提体の既設部を、等高線画像１０２３の高度位置で切断した断面図である。
具体的に、出来形管理図生成部５４ｃは、等高線画像１０２３を、ダム提体断面図１０２４の目盛画像１０２５上の対応する座標位置に挿入する。これにより、図１４（ｃ）に示す、入力高度に対応する岩着区画の出来形管理図１０２７を生成する。
【００７８】
出来形管理図生成支援部５３は、出来形管理図１０２７が生成されると、保存名入力用のポップアップ画像を表示装置４１に表示する。これにより、作業者は、入力装置４０を介して、保存名を入力することが可能となる。
ここでは、作業者が、保存名入力用のポップアップ画像の保存名入力欄に保存名を入力しかつＯＫボタン画像を押下したとする。
これにより、出来形管理図生成支援部５３は、入力された保存名で出来形管理図１０２７を保存するのに必要な３次元ＣＡＤソフトの画面操作を行う操作入力情報である第５の操作情報ＩＮ５を、３次元ＣＡＤ機能部５４の出来形管理図生成部５４ｃに入力する。
【００７９】
これによって、３次元ＣＡＤソフトの操作画面が自動で操作され、生成された出来形管理図１０２７が入力された保存名で記憶装置４３に記憶される。
作業者は、出来形管理図１０２７が生成されると、対応する岩着区画のコンクリートの打設に必要なコンクリート打設量を算出するための情報を、例えば、３次元ＣＡＤソフトを用いて、出来形管理図１０２７から抽出する。例えば、入力高度の岩着区画の平面積を抽出する。そして、抽出した平面積の情報を、入力装置４０を介して、打設量算出部５５に入力する。
【００８０】
打設量算出部５５は、平面積の情報が入力されると、今回の平面積と前回の平面積とを足して２で割り、この結果に、１リフト分の高さを乗算することでコンクリート打設量を算出する。更に、今回の平面積と算出したコンクリート打設量とを高度情報と対応付けて記憶装置４３に記憶すると共に算出したコンクリート打設量を表示装置４１に表示する。
その後、生成した出来形管理図１０２７や算出したコンクリート打設量を用いて、発注者への報告と確認を行い、算出したコンクリート打設量に対して発注者の認可を得る。
【００８１】
発注者の認可が得られると、右岸側の岩着区画に既設の型枠３０１及び３０２をリフトアップし、１リフト分のコンクリートの打設を行う。
ここで、図１５に示すように、上記測量用写真の撮影作業は、岩着面の幅にもよるが、一般的な中型ダムの規模で大体２０分ほどかかる。また、上記写真の選定及びアップロード作業は、撮影写真の枚数にもよるが大体４０分くらいかかる。また、３次元点群データ１０２０から出来形管理図１０２７を生成するまでにかかる作業時間は大体５分となる。一方、上記３次元点群データ１０２０を生成するまでにかかる時間は、大体６時間ほどとなるが、アップロード後の作業は点群データ生成装置３側で行われるため、作業者の作業時間としては０分となる。従って、測量用写真の撮影から出来形管理図１０２７を生成するまでにかかる作業者の総作業時間は、大体６５分となる。なお、３次元点群データの生成コストは１モデル「７５０円」となる。
【００８２】
これに対し、従来のＴＳを用いた測量で出来形管理図の生成までの作業を行った場合、作業者２人以上で１リフト毎に約倍の作業時間がかかる。そのため、作業者１人で５〜６リフト分を一度に測量できる本実施形態の方法と比較して、人件費だけでも大幅なコスト増となる。
上記実施形態において、岩着部施工情報生成システム１は、ダム施工用の出来形管理図生成システム及びコンクリート打設量算出システムに対応し、メモリカードリーダ４４は、撮影画像データ取得部に対応する。
また、Ｗｅｂブラウザ機能部５１は、基準点座標取得部に対応し、点群データ生成装置３は、点群データ生成部に対応し、等高線座標情報抽出部５４ｂは、等高線座標情報取得部に対応し、記憶装置４３は、提体座標情報記憶部に対応する。
【００８３】
（実施形態の作用及び効果）
実施形態に係るダム施工用の測量用写真撮影方法によれば、右岸保護部２０１又は左岸保護部２０２を構成する保護モルタルのうち予め設定された掘削範囲（例えば５〜６リフト）を掘削後の右岸岩着面部１０２ａ又は左岸岩着面部１０３ａを含む撮影対象領域内に、３次元座標情報が既知の１点以上の基準点を設定する。具体的に、右岸岩着面部１０２ａ又は左岸岩着面部１０３ａ上に１点以上の基準点（右岸第３基準点５０１ｃ又は左岸第３基準点５０３ｃ）を設定する。加えて、ダム提体の上流側及び下流側にそれぞれ設置された型枠３０１及び３０２の岩盤面と対向する位置の２箇所の型枠部（右岸側は型枠部３０１Ｒ及び３０２Ｒ、左岸側は型枠部３０１Ｌ及び３０２Ｌ）の上角部を基準点として利用する。具体的に、型枠部３０１Ｒ及び３０２Ｒ又は型枠部３０１Ｌ及び３０２Ｌの上角部にそれぞれ対空標識６００を設置して、撮影対象領域内に３点以上の基準点が含まれるようにする。これによって、左岸第１〜第２基準点５０１ａ〜５０１ｂ又は右岸第１〜第２基準点５０２ａ〜５０２ｂを設定する。即ち、型枠の位置は型枠測量により正確な位置が既知であることから、型枠部に基準点を設定するようにした。
【００８４】
更に、基準点を設定後の撮影対象領域を、地上又はダム提体の既設部上の異なる複数の撮影位置から、デジタルカメラＤＣによって、撮影位置のそれぞれで複数枚ずつ且つ隣接する撮影画像同士で撮影領域の一部が重複（ラップ）するように撮影する。これにより、撮影対象領域が複数の撮影領域に分割された複数の撮影画像を得る。
これにより、写真測量に必要な基準点の測定の手間を軽減することが可能となる。加えて、地上又はダム提体の既設部上から写真撮影する構成としたのでＵＡＶを用いた空撮と比較して低コストで岩着面の測量用写真を撮影することが可能となる。また、写真を撮影すればよいので、従来の測量機械を用いた測量と比較して複数リフト分を一度に測量することが可能となる。
【００８５】
また、保護モルタルの掘削範囲を、コンクリートを打設する総リフト数をＮとして、Ｍ（Ｍは２≦Ｍ＜Ｎの自然数）リフト分の範囲とした。更に、保護モルタルを掘削後のＭリフト分（例えば５リフト分）の岩盤面部分を含む撮影対象領域毎に撮影を行うようにした。
即ち、Ｍリフト分の範囲を一度に撮影するようにしたので、従来の１リフト毎の測量と比較して、測量にかかるコストを低減することが可能となる。
また、手持ちのデジタルカメラＤＣにて人手で撮影するようにした。具体的に、作業者が、岩盤面部分の幅方向の一方の側から他方の側に向かって移動しつつ複数箇所で立ち止まり、その立ち止まった際に、高さ方向の撮影角度を変えながら複数枚を撮影することで、複数の撮影画像を得るようにした。
これにより、余計なコストをかけずに人手によって簡易に撮影を行うことが可能となり、例えば、現場での他の作業者への撮影領域からの退避の呼びかけや、現場の作業機械を避けながらの撮影など、現場の状況に合わせた撮影を行うことが可能となる。
【００８６】
また、実施形態に係る岩着部施工情報生成システム１によれば、点群データ生成装置３が、上記測量用写真撮影方法で撮影して得られた複数の撮影画像データと、撮影対象領域内に設定された基準点（左岸第１〜第３基準点５０１ａ〜５０１ｃ又は右岸第１〜第３基準点５０２ａ〜５０２ｃ）の３次元座標情報とを取得する。点群データ生成装置３が、取得した複数の撮影画像データと、基準点の３次元座標情報とに基づき撮影対象領域の３次元点群データ１０２０を生成する。出来形情報生成装置２が、ＴＩＮモデル生成部５４ａによって、点群データ生成装置３で生成された３次元点群データ１０２０に基づき撮影対象領域のＴＩＮモデル１０２１を生成する。出来形情報生成装置２が、等高線座標情報抽出部５４ｂによって、ＴＩＮモデル１０２１に基づき撮影対象領域に対応する岩盤面部分の等高線座標情報を抽出する。出来形情報生成装置２が、出来形管理図生成部５４ｃによって、等高線座標情報と既設部の座標情報とに基づき、ダム岩着部の出来形管理図１０２７として、岩着面部分の等高線画像１０２３と該等高線画像１０２３の高度位置で既設部を切断してなる既設部断面図１０２６とを合成したダム岩着部を含むコンクリート打設区画の断面図を生成する。
【００８７】
この構成であれば、ＴＳ等の測量機械による測量データを用いて出来形管理図を生成した場合と比較して高精度な出来形管理図を低コストで得ることが可能となる。即ち、ＴＳ等の測量機械を用いた測量よりも、撮影対象領域を高分解能の点群データとして捉える写真測量の方が、測量精度が高くなる。
また、実施形態に係る岩着部施工情報生成システム１によれば、出来形情報生成装置２が、打設量算出部５５によって、等高線座標情報と既設部の座標情報とに基づき、ダム岩着部を含むコンクリート打設区画のコンクリート打設量を算出する。
この構成であれば、ＴＳ等の測量機械による測量データを用いてコンクリート打設量を算出した場合と比較して高精度なコンクリート打設量を低コストで算出することが可能となる。
【００８８】
また、実施形態に係る岩着部施工情報生成システム１によれば、出来形情報生成装置２が、出来形管理図生成支援部５３によって、予め指定された３次元点群データを用いて岩盤面部分のＴＩＮモデル１０２１を生成するのに必要な３次元ＣＡＤソフトの画面操作を行う一連の操作入力情報である第１の操作情報ＩＮ１を３次元ＣＡＤソフトに入力する。引き続き、出来形管理図生成支援部５３によって、ＴＩＮモデル１０２１の生成後に、ＴＩＮモデル１０２１の等高線俯瞰図１０２２を表示して、抽出高度の入力画面を表示するまでに必要な３次元ＣＡＤソフトの一連の画面操作を行う操作入力情報である第２の操作情報ＩＮ２を３次元ＣＡＤソフトに入力する。続いて、出来形管理図生成支援部５３によって、等高線座標情報を抽出するための高度の入力を受け付ける高度入力用ポップアップ画像を表示装置４１に表示する。続いて、出来形管理図生成支援部５３によって、高度の入力を受け付けたと判定すると、入力高度に対応する等高線座標情報をＴＩＮモデル１０２１から抽出するのに必要な３次元ＣＡＤソフトの画面操作を行う一連の操作入力情報である第３の操作情報ＩＮ３を３次元ＣＡＤソフトに入力する。引き続き、出来形管理図生成支援部５３によって、入力高度に対応する等高線座標情報を抽出後に、入力高度に対応するダム岩着部を含むコンクリート打設区画の出来形管理図を生成するのに必要な３次元ＣＡＤソフトの画面操作を行う一連の操作入力情報である第４の操作情報ＩＮ４を３次元ＣＡＤソフトに入力する。
この構成であれば、出来形管理図１０２７の生成に３次元ＣＡＤソフトを利用する際に、３次元ＣＡＤソフトの複雑な画面操作を半自動で行うことが可能となるので、３次元ＣＡＤソフトの操作に不得手な作業者でも手軽に出来形管理図を生成することが可能となる。
【００８９】
（変形例）
（１）上記実施形態では、型枠設置時の基準点の設定において、岩着区画に設置された型枠の岩着面と接する型枠部に基準点を設定する構成としたが、この構成に限らない。例えば、図１６に示すように、右岸岩着区画ＲＣＲ又は左岸岩着区画ＲＣＬに隣接する区画の岩着区画に最も近い側の型枠部３０１Ｒ及び３０２Ｒ又は３０１Ｌ及び３０２Ｌに基準点を設定する構成としてもよい。
（２）上記実施形態では、型枠部の岩盤面側端部の上側角部の位置に対空標識を設置するようにしたが、この構成に限らない。例えば、対空標識を設置しない構成としてもよい。即ち、岩着面の色と型枠の色との違いや型枠の角部の形状から対空標識を設置することなく基準点を画像中で特定することが可能であれば標識を設置しないことも可能である。
【００９０】
（３）上記実施形態では、点群データ生成装置３の提供するクラウドサービスを利用して３次元点群データを得る構成としたが、この構成に限らない。例えば、出来形情報生成装置２が、３次元点群データを生成する機能を有する構成としてもよい。
（４）上記実施形態では、重力式コンクリートダムを例に挙げて説明をしたが、重力式コンクリートダムに限らず、岩着区画を有する他のコンクリートダムに本発明を適用してもよい。
（５）上記実施形態では、拡張レヤ工法を用いてダムを施工する構成を例に挙げて説明したが、この構成に限らず、柱状工法、レヤ工法、ＲＣＤ（Roller Compacted Dam-Concrete ）工法等の他の工法を適用する構成としてもよい。
（６）上記実施形態では、撮影対象領域内に３点の基準点を設定する構成としたが、この構成に限らず、４点以上の基準点を設定する構成としてもよい。
【符号の説明】
【００９１】
１  岩着部施工情報生成システム
２  出来形情報生成装置
３  点群データ生成装置
４０  入力装置
４１  表示装置
４２  通信装置
４３  記憶装置
４４  メモリカードリーダ
５１  Ｗｅｂブラウザ機能部
５２  データ通信制御部
５３  出来形管理図生成支援部
５４  ３次元ＣＡＤ機能部
５４ａ  ＴＩＮモデル生成部
５４ｂ  等高線座標情報抽出部
５４ｃ  出来形管理図生成部
５５  打設量算出部
１０２  右岸基礎岩盤
１０２ａ  右岸岩着面部
１０３  左岸基礎岩盤
１０３ａ  左岸岩着面部
２０１  右岸保護部
２０２  左岸保護部
３０１  下流側型枠
３０１Ｒ  下流側右型枠部
３０１Ｌ  下流側左型枠部
３０２  上流側型枠
３０２Ｒ  上流側右型枠部
３０２Ｌ  上流側左型枠部
５０１ａ〜５０１ｃ  右岸第１〜第３基準点
５０２ａ〜５０２ｃ  左岸第１〜第３基準点
１０２０  ３次元点群データ
１０２１  ＴＩＮモデル
１０２２  等高線俯瞰図
１０２３  等高線画像
１０２６  既設部断面図
１０２７  出来形管理図
【図１】
0006771320.tif 000002
【図２】
0006771320.tif 000003
【図３】
0006771320.tif 000004
【図４】
0006771320.tif 000005
【図５】
0006771320.tif 000006
【図６】
0006771320.tif 000007
【図７】
0006771320.tif 000008
【図８】
0006771320.tif 000009
【図９】
0006771320.tif 000010
【図１０】
0006771320.tif 000011
【図１１】
0006771320.tif 000012
【図１２】
0006771320.tif 000013
【図１３】
0006771320.tif 000014
【図１４】
0006771320.tif 000015
【図１５】
0006771320.tif 000016
【図１６】
0006771320.tif 000017